(57)【要約】【課題】臭気や湿気を速やかに排気し、使用者に不快感を感じさせないトイレ換気装置を提供する。【解決手段】本考案に係るトイレ換気装置は、吸気口２０、排気口２６および排気装置１６を備えるトイレ換気装置であって、前記吸気口２０は、トイレに１つ以上備えられ、前記排気口２６は、前記トイレ１２の下部に備えられ、前記排気装置１６は、前記排気口２６に備えられ、前記吸気口２０から取り入れた空気を強制的に前記排気口２６に向けて流し、前記トイレ１２内の空気を下に向けて流動させ排気することを特徴とする。【選択図】図１
0003125168.tif 000002
【実用新案登録請求の範囲】
【請求項１】
吸気口、排気口および排気装置を備えるトイレ換気装置であって、
前記吸気口は、トイレに１つ以上備えられ、
前記排気口は、前記トイレの下部に備えられ、
前記排気装置は、前記排気口に備えられ、前記吸気口から取り入れた空気を強制的に前記排気口に向けて流し、前記トイレ内の空気を下に向けて流動させ排気することを特徴とするトイレ換気装置。
【請求項２】
前記吸気口は、前記トイレの天井に備えられ、
吸気装置は、前記吸気口に配置され、
前記吸気装置は、第１換気ファンと、吸気口に繋がる吸気用通風路からなり、
前記排気装置は、単位時間当たりの換気風量が第１換気ファンより大きい第２換気ファンおよび前記排気口に繋がる排気風路により構成され、前記排気風路のもう一端は通気柱に繋がり、前記排気風路の末端に片側弁が配置されることを特徴とする請求項１に記載のトイレ換気装置。
【請求項３】
前記トイレは、開閉するドアを備え、
該ドアは、下部に第２吸気口を備え、
前記排気口は、前記第２吸気口と相対する位置にあることを特徴とする請求項１に記載のトイレ換気装置。
【考案の詳細な説明】
【技術分野】
【０００１】
本考案は、トイレの通風効率を高める換気装置に関し、特に臭気を減少させる換気装置に関する。
【背景技術】
【０００２】
トイレや浴室は、臭気や湿気が集まる場所であるため、天井には１つ以上の通風口および換気ファンが備えられている。換気ファンは照明が点灯されると同時に起動し、ドアの下部にある通風口から空気が進入させ、換気ファンにより通風口から排気される。「下から上に流動する」気流のため、引力に逆らわなければならず、気流の流動速度はかなり遅い。ここで重要なのは、トイレの臭気や浴室の湿気は比重が空気より重く、引力の影響を受けるため、「ゆっくり、また留まるように」使用者の鼻を掠め、換気ファンに達するので、使用者の不快感が長い間続いてしまうことである。
【特許文献１】特開２００２−８９９０８号公報
【考案の開示】
【考案が解決しようとする課題】
【０００３】
本考案の目的は、臭気や湿気を速やかに排気し、使用者に不快感を感じさせないトイレ換気装置を提供することにある。
【課題を解決するための手段】
【０００４】
上記課題を解決するために、本考案は、下記の特徴を有するトイレ換気装置を提供する。
１．請求項１に記載のトイレ換気装置は、吸気口、排気口および排気装置を備えるトイレ換気装置であって、前記吸気口は、トイレに１つ以上備えられ、前記排気口は、前記トイレの下部に備えられ、前記排気装置は、前記排気口に備えられ、前記吸気口から取り入れた空気を強制的に前記排気口に向けて流し、前記トイレ内の空気を下に向けて流動させ排気することを特徴とする。
２．請求項２に記載のトイレ換気装置は、請求項１の場合において、前記吸気口は、前記トイレの天井に備えられ、吸気装置は、前記吸気口に配置され、前記吸気装置は、第１換気ファンと、吸気口に繋がる吸気用通風路からなり、前記排気装置は、単位時間当たりの換気風量が第１換気ファンより大きい第２換気ファンおよび前記排気口に繋がる排気風路により構成され、前記排気風路のもう一端は通気柱に繋がり、前記排気風路の末端に片側弁が配置されることを特徴とする。
３．請求項３に記載のトイレ換気装置は、請求項１の場合において、前記トイレは、開閉するドアを備え、該ドアは、下部に第２吸気口を備え、前記排気口は、前記第２吸気口と相対する位置にあることを特徴とする。
【考案の効果】
【０００５】
本考案の目的は、トイレ換気装置を提供することにある。この換気装置は臭気や湿気を強制的に床を這うように流動させ排気する方法を採るが、臭気や湿気を速やかに排気する以外に、トイレ使用時における不快感を大幅に減少させることができる。
【考案を実施するための最良の形態】
【０００６】
以下、本考案の実施形態を図面に基づいて説明する。
図１は、本考案の一実施形態によるトイレ換気装置を示す立体図である。このトイレ換気装置は、吸気装置１４および排気装置１６を備える。
【０００７】
トイレ１２の天井には吸気口２０がある。トイレ１２の開閉はドア２２により行なわれるが、ドア２２の下部には第２吸気口２４があり、この第２吸気口２４と相対する位置に排気口２６がある。第２吸気口２４と排気口２６との距離は８０センチメートル以内である。
【０００８】
吸気装置１４は、トイレ１２の吸気口２０に配置され、第１換気ファン４０と、吸気口２０に繋がる吸気風路４２により構成され、吸気風路４２のもう一端は屋外または他の部屋に繋がる。また、吸気口２０に濾過器４４を組み合わせることも可能である。
【０００９】
排気装置１６は、トイレ１２の排気口２６に配置され、単位時間当たりの換気風量が第１換気ファン４０より大きい第２換気ファン６０および排気口２６繋がる排気風路６２により構成され、排気風路６２のもう一端はトイレ１２に予め設けられていた通気柱１０に繋がる。また、片側弁６４が排気風路６２の末端に配置され、通気柱１０内の排気がトイレ１２内に逆流するのを防ぐ。必要により、排気口２６に濾過器４４を組み合わせても良い（図示せず）。
【００１０】
本考案の吸気口２０の高さは、使用者の身長より高い位置にあり、排気口２６の高さは使用者の顔の高さより低い位置にある。排気装置１６の排気量は吸気装置１４の吸気量より大きいため、吸気装置１４および排気装置１６を同時に起動させた場合、トイレ１２内において２種類の気流が発生する。第２吸気口２４より吸入された空気は水平方向の気流で排気口２６から排気され、吸気口２０から吸入された空気は引力に逆らわずに「上から下に」効率良く排気口２６に向かって流れ、臭気や湿気が上方に流れることがなく、使用者の不快感を大幅に減少することができる。
【００１１】
上記したように吸気風路４２のもう一端は屋外、居間またはキッチンに繋がっているため、本考案の作動中において、屋内では若干の空気の流動が起きる。
【００１２】
また、本考案は、必要に応じて、吸気装置１４に加熱器または冷却器を備えたり、屋内の空調に接続させたりすることも可能である。
【００１３】
吸気装置１４および排気装置１６は、当然同時に設置するに越したことがないが、二者のうちの一つだけでも同様の効果を得ることができる。
【００１４】
吸気口２０および排気口２６は、必要に応じてその数量を増加しても良い。また、吸気口２０および排気口２６をそれぞれ吸気および排気多岐管に繋いで、第１換気ファン４０および第２換気ファン６０をそれぞれ多岐管内に配置し、吸気口２０および排気口２６を便器付近に設置し、きれいな空気を取り入れ、臭気を排出する。
【図面の簡単な説明】
【００１５】
【図１】本考案の一実施形態によるを通風システム示す立体図である。
【符号の説明】
【００１６】
１０  通気柱
１２  トイレ
１４  吸気装置
１６  排気装置
２０  吸気口
２２  ドア
２４  第２吸気口
２６  排気口
４０  第１換気ファン
４２  吸気風路
４４  濾過器
６０  第２換気ファン
６２  排気風路
６４  片側弁
【図１】
0003125168.tif 000003